【事件の表示】
　平成　７年特許願第２１７４７０号「分電盤」拒絶査定不服審判事件〔平成　９年　３月　７日出願公開、特開平　９−　６５５２０〕について、次のとおり審決する。
【結　論】
　本件審判の請求は、成り立たない。
【理　由】
１、手続の経緯・本願発明
　本願は、平成７年８月２５日の特許出願（特願平７−２１７４７０号）であって、その請求項１に係る発明（以下、「本願発明」という。）は、平成１３年４月９日付けの手続補正書により補正された明細書の記載および出願当初の明細書に添付された図面の記載からみて、その特許請求の範囲の請求項１に記載された事項により特定された、次のとおりのものと認める。
「底部に配線スペースを有しこの配線スペース内に前記底部より突設された突出片を有し前記配線スペースの配線方向に延びて束線バンドを引っ掛ける保持部を前記突出片の先端に形成したボディと、このボディの前記配線スペースを避けるように取付けられて電気接続された主幹開閉器および分岐開閉器と、前記ボディに取付られて前記主幹開閉器および前記分岐開閉器を被覆するカバーとを備え、前記保持部に対向する前記底部に束線バンド受け入れ用の開口部を形成し、前記開口部の幅を前記保持部の幅よりも広幅にしたことを特徴とする分電盤。」
　　　　　　　
２、引用文献に記載された発明
　これに対して、原審の拒絶理由通知において引用文献１（登録実用新案第３００９８１４号公報）、引用文献３（実公昭５１−３６１８２号公報　）が引用され、それぞれ次の事項が記載されているものと認められる。
（１）引用文献１
ア、『【０００１】【産業上の利用分野】この考案は、分電盤において配線される電線の結束固定が行える構造に関する。』（公報第４頁第２〜５行）　
イ、『【０００７】分電盤は合成樹脂で一体成形されたカバー１と、合成樹脂で一体成形されたベース２からなつており複数のブレーカ４を収容している。ベース２に一体形成された穴３１を有する突起部３を備えている。露出配線の場合、分電盤を壁に取付けベース２の上側面２１の電線引き込み穴２２を開け、配線される電線５を通し複数のブレーカ４の右端側面より電線５が引き込まれる。そのとき、突起部３の穴３１に紐６を通しておき、電線５を引き込んでから紐６を縛ることにより電線５をベース２に固定できるため、ベース２の側壁２３より上にとびだすことがない。』　　　　　　　　　　　　　　　　　　　　　　　　　　　　（公報第５頁第１〜９行）　
ウ、（ａ）ベース２の底壁に電線５を配線する空間を有しこの電線５を配線する空間内に前記ベース２の底壁に一体形成された電線結束固定用の突起部３を有する構成。
（ｂ）複数のブレーカ４がベース２の前記電線５を配線する空間を避けるように取付けられて電気接続されている構成。
（ｃ）前記複数のブレーカ４を被覆するように前記ベース２にカバー１が取付られている構成。　
　（図１〜５における図示内容、特に、上記イの記載に関連して図２，３に明示されている）
　これらの記載事項から、引用例１には次のような発明が記載されていると認められる。
「底壁に電線５を配線する空間を有しこの電線５を配線する空間内に前記底壁に一体形成された電線結束固定用の突起部３を有するベース２と、このベース２の前記電線５を配線する空間を避けるように取付けられて電気接続された複数のブレーカ４と、前記ベース２に取付られて前記複数のブレーカ４を被覆するカバー１とを備えた分電盤。」（以下、「引用発明」という。）
（２）引用文献３　
エ、「コントロールセンタのユニット１から外部への配線４は第５図の通り仕切板３の上を経由して端子５に接続される。本案は上記の配線４を固定するための固定金具６を仕切板３に設けたことを特徴とするものである。すなわちコントロールセンタに収納されているユニット１を保守点検のために引出すときは第５図に示す端子５の締付ねじを緩めて配線の接続を外し、ユニットを引出さねばならないがこの際従来のものは配線４同士を束ねているだけでユニット１を手前に引出すとき、配線４にあたり引出しが円滑にできない。本案は仕切板３に固定金具６を設け、第４図のように配線４を固定金具６にバインドして固定させ、ユニット１を円滑に引出および挿入ができるようにしている。」  （公報第１頁第２欄第１４〜２８行　）
オ、（ａ）仕切板３より突設された固定金具６が、その先端に配線個所の配線方向に延びて配線結束部材を引っ掛ける係止部を形成している構成。
（ｂ）係止部に対向する仕切板３に開孔を形成している構成。
　（図面の図示内容、特に、上記エ、の記載に関連して第２図および第４図に明示されている）
　これらの記載からみて、引用文献３には下記の事項が記載されていると認められる。
「仕切板３に配線個所を有しこの配線個所内に前記仕切板３より突設された固定金具６を有し、この固定金具６がその先端に前記配線個所の配線方向に延びて配線結束部材を引っ掛ける係止部を形成しており、前記係止部に対向する前記仕切板３に開孔を形成している配線固定手段。」
　　　　
３、対比
　本願発明と引用発明とを対比すると、各文言の意味、機能または作用等からみて、引用発明における「底壁」は本願発明の「底部」に、以下同様に、「電線５を配線する空間」は「配線スペース」に、「底壁に一体形成された」は「底部より突設された」に、「電線結束固定用の突起部３」は「突出片」に、「ベース２」は「ボディ」に、「複数のブレーカ４」は「主幹開閉器および分岐開閉器」に、そして「カバー１」は「カバー」に、それぞれ相当すると認められるので、本願発明と引用発明とは、
　「底部に配線スペースを有しこの配線スペース内に前記底部より突設された突出片を有するボディと、このボディの前記配線スペースを避けるように取付けられて電気接続された主幹開閉器および分岐開閉器と、前記ボディに取付られて前記主幹開閉器および前記分岐開閉器を被覆するカバーとを備えた分電盤」である点で一致しており、下記の点で相違している。
［相違点］
　底部より突設された突出片が、本願発明では「その先端に配線スペースの配線方向に延びて束線バンドを引っ掛ける保持部を形成し、保持部に対向する底部に束線バンド受け入れ用の開口部を形成し、前記開口部の幅を前記保持部の幅よりも広幅にしている」のに対して、引用発明における突出片（電線結束固定用の突起部３）がそのような構成ではない点。
　　　
４、当審の判断
　上記の相違点について検討する。
　上記の引用文献３の記載事項における「仕切板３」は本願発明の「底部」に、以下同様に、「配線個所」は「配線スペース」に、「固定金具６」は「突出片」に、「係止部」は「保持部」に、そして「開孔」は「開口部」に、それぞれ相当すると認められ、「配線結束部材」として「束線バンド」を用いることは普通に行われていることであるから、引用文献３には、
　「底部に配線スペースを有しこの配線スペース内に前記底部より突設された突出片を有し、この突出片がその先端に前記配線スペースの配線方向に延びて束線バンドを引っ掛ける保持部を形成し、前記保持部に対向する前記底部に開口部を形成した配線固定手段」が開示されていると認められる。
　また、一般に、配線を固定する技術分野において、束線バンド等の保持すべき対象物を保持する保持部に対向する基部に前記保持部の幅よりも広幅にした開口部を形成して、配線の固定作業を円滑、容易にするようなことは、周知慣用手段（必要なら、例えば、実開平５−２２８１３号公報の図１，２，５，７に示されている、ケーブルタイＣＴを係止する係止部６，７，２４に対向する基板部１，２１に形成された前記係止部６，７，２４の幅よりも広幅にしたケーブルタイＣＴを挿通するための挿通穴４，５，２３、或いは実開平５−４８１１０号公報の図１に示されている、ランプコード３０を保持固定する弾性保持片３５，３４，３６に対向する前面板２０Ａ、左側板２０Ｂ、右側板２０Ｃに形成された前記弾性保持片３５，３４，３６の幅よりも広幅にした開口部を参照）である。
　したがって、引用発明における突出片（電線結束固定用の突起部３）に、上記の引用文献３の記載事項に開示された突出片の先端に配線スペースの配線方向に延びて束線バンドを引っ掛ける保持部と、保持部に対向する底部に開口部を形成した配線固定手段を適用すること、その適用に際して、上記周知慣用手段に倣って、その開口部の幅を前記保持部の幅よりも広幅にし、束線バンド等の保持すべき対象物を保持しやすくすると共に、束線バンド等の保持すべき対象物を開口部に受け入れるようにして、本願発明のように構成する程度のことは、当業者が容易になし得たものと認められる。
　そして、本願発明の構成によってもたらされる明細書に記載の効果も、引用発明、引用文献３の記載事項および上記周知慣用手段から当業者であれば予測できる範囲のものであって、格別なものとはいえない。
　　　　　
５、むすび
　以上のことから、本願発明は、その出願前に当業者が引用発明、引用例３の記載事項および上記周知慣用手段に基いて容易に発明をすることができたものと認められるから、特許法第２９条第２項の規定により特許を受けることができない。
　よって、結論のとおり審決する。